(57)【特許請求の範囲】
【請求項１】
少なくとも１つの光源と、
前記少なくとも１つの光源によって放出された光の波長を変換する波長変換要素と、
前記少なくとも１つの光源から離れている前記波長変換要素を支持する少なくとも１つの支持体と、
前記波長変換要素及び前記少なくとも１つの支持体の少なくとも一部分を取り囲む外囲器と、
を含み、
前記少なくとも１つの支持体は、前記波長変換要素に対して旋回可能であり、
前記波長変換要素及び／又は前記少なくとも１つの支持体は、剛性部と可撓部とを含み部分的に剛性であり、
前記外囲器は、開口部を有し、
前記波長変換要素の長手方向に沿って測定される前記波長変換要素の長さは、前記外囲器の前記開口部の最大幅よりも大きく、
前記長手方向を横断して測定される前記波長変換要素の最大幅は、前記外囲器の前記開口部の前記最大幅よりも小さい、照明デバイス。
【請求項２】
照明ソケットに結合される口金を更に含み、前記開口部は、前記口金に結合される、請求項１に記載の照明デバイス。
【請求項３】
少なくとも１つの光源と、
前記少なくとも１つの光源によって放出された光の波長を変換する波長変換要素と、
前記少なくとも１つの光源から離れている前記波長変換要素を支持する少なくとも１つの支持体と、
前記波長変換要素及び前記少なくとも１つの支持体の少なくとも一部分を取り囲む外囲器と、を含み、
前記少なくとも１つの支持体は、前記波長変換要素に対して旋回可能であり、
照明ソケットに結合される口金を更に含み、前記外囲器は、前記口金に結合される開口部を有し、
前記波長変換要素は、細長い形状を有し、前記波長変換要素の長手方向に沿って延在する平面内で、前記少なくとも１つの支持体に対して旋回可能であり、
前記長手方向に沿って測定される前記波長変換要素の長さは、前記外囲器の前記開口部の最大幅よりも大きく、
前記長手方向を横断して測定される前記波長変換要素の最大幅は、前記外囲器の前記開口部の前記最大幅よりも小さい、照明デバイス。
【請求項４】
前記少なくとも１つの支持体は、２つの支持体を含み、各支持体が、前記波長変換要素に対して旋回可能である、請求項１乃至３の何れか一項に記載の照明デバイス。
【請求項５】
各支持体は、平面内で、前記波長変換要素に対して旋回可能であり、前記平面は、互いに沿って延在する、請求項４に記載の照明デバイス。
【請求項６】
前記少なくとも１つの光源は、紫外光を放出する、請求項１乃至５の何れか一項に記載の照明デバイス。
【請求項７】
前記少なくとも１つの光源は、少なくとも、第１の波長範囲内の光を放出し、
前記波長変換要素は、前記少なくとも１つの光源によって放出される光を、少なくとも、前記第１の波長範囲とは異なる第２の波長範囲に変換し、
前記外囲器は、前記少なくとも１つの光源によって放出される前記第１の波長範囲内の光の少なくとも一部が、前記照明デバイスを出ることを阻害する、請求項１乃至６の何れか一項に記載の照明デバイス。
【請求項８】
前記第２の波長範囲内の光を放出する少なくとも１つの追加の光源を更に含む、請求項７に記載の照明デバイス。
【請求項９】
前記波長変換要素は、前記少なくとも１つの光源によって放出される光を、白色、黄色、琥珀色及び赤色である複数の色のうち、少なくとも１つの色に変換する、請求項１乃至８の何れか一項に記載の照明デバイス。
【請求項１０】
前記波長変換要素は、光透過性本体と、前記光透過性本体に配置される波長変換材料とを含む、請求項１乃至９の何れか一項に記載の照明デバイス。
【請求項１１】
前記外囲器は、単一片の材料で作られる、請求項１乃至１０の何れか一項に記載の照明デバイス。
【請求項１２】
前記外囲器は、透明である、請求項１乃至１１の何れか一項に記載の照明デバイス。
【請求項１３】
前記少なくとも１つの支持体は、少なくとも１つの棒を含む、請求項１乃至１２の何れか一項に記載の照明デバイス。
【請求項１４】
少なくとも１つの光源と、
前記少なくとも１つの光源によって放出された光の波長を変換する波長変換要素と、
前記少なくとも１つの光源から離れている前記波長変換要素を支持する少なくとも１つの支持体と、
前記波長変換要素及び前記少なくとも１つの支持体の少なくとも一部分を取り囲む外囲器と、を含む照明デバイスを製造する方法であって、
前記少なくとも１つの支持体に対して旋回可能である前記波長変換要素を含むユニットを提供するステップと、
前記ユニットの前記外囲器内への挿入を可能にする状態へと、前記波長変換要素を前記少なくとも１つの支持体に対して旋回させるステップと、
前記ユニットを前記外囲器内に挿入するステップと、
前記外囲器内の最終状態へと、前記波長変換要素を前記少なくとも１つの支持体に対して旋回させるステップと、
を含む、方法。
【発明の詳細な説明】
【技術分野】
【０００１】
本発明は、概して、リモート波長変換要素を含む照明デバイスの分野に関する。
【背景技術】
【０００２】
従来の白熱照明デバイスは、現在、例えば発光ダイオード（ＬＥＤ）ベースの光源といったよりエネルギー効率の良い固体ベースの光源に取って代わられてきている。固体ベースの光源は、白熱光源と比べて著しく異なる光学特性を有する。特に、固体ベースの光源は、白熱光源と比べて、より有向性のある配光と、より高い（即ち、より冷たい）色温度とを提供する。したがって、配光及び色温度に関して、固体ベースの照明デバイスを、従来の白熱照明デバイスにより似せるために努力がなされている。
【０００３】
光源によって放出された光の色温度を調整するために、例えば蛍光体といった波長変換材料が通常使用される。波長変換材料は、光源上に直接配置されるか、又は、光源から離間された別箇の要素内に配置される。後者が、通常、リモート波長変換要素と呼ばれる。
【０００４】
米国特許出願公開第２０１２／０１７６８０４号は、紫外（ＵＶ）光を放出するＬＥＤを含む照明デバイスを示す。紫外光は、蛍光体によって、可視光（例えば白色光）に変換される。蛍光体は、ライトガイドに配置される。ライトガイドは、平面パネルであり、ＬＥＤによって放出された光の大部分が当該パネルに当たるように、ＬＥＤの上方に配置される。ライトガイド及びＬＥＤは、外囲器によって覆われる。このような照明デバイスの欠点は、ライトガイドが、外囲器の下部開口よりも大きい場合に、製造するのが難しい点である。例えば外囲器が２つの部分から作られることや、ライトガイドが可撓性材料で作られることが必要となる。
【発明の概要】
【発明が解決しようとする課題】
【０００５】
上記欠点を解決する、又は、少なくとも軽減する照明デバイスを実現することが有利である。特に製造がより簡単である照明デバイスを可能とすることが望ましい。
【課題を解決するための手段】
【０００６】
これらの検討事項の１つ以上によりうまく対処するために、独立請求項に規定される特徴を有する照明デバイス及び照明デバイスを製造する方法が提供される。好適な実施形態は、従属請求項に規定される。
【０００７】
したがって、一態様によれば、照明デバイスが提供される。当該照明デバイスは、少なくとも１つの光源と、少なくとも１つの光源によって放出された光の波長を変換する波長変換要素と、少なくとも１つの光源から離れている波長変換要素を支持する少なくとも１つの支持体と、波長変換要素及び少なくとも１つの支持体の少なくとも一部分を取り囲む外囲器とを含む。少なくとも１つの支持体は、波長変換要素に対して旋回可能である。
【０００８】
支持体が、波長変換要素に対して旋回可能であるので、支持体及び波長変換要素は、照明デバイスの組立て後、互いに対して移動可能であってよい。したがって、支持体及び波長変換要素は、外囲器内への挿入前に、１つのユニットに組み立てられてよい。そして、波長変換要素及び支持体は、外囲器内へのユニットの挿入を容易とする状態となるように、互いに対して旋回されてよい。次に、ユニットは、外囲器内で、最終状態へと旋回されてよい。本態様は、剛性波長変換要素及び少なくとも部分的に剛性の支持体を使用することを可能にする。これは、これらの２つのコンポーネントは、外囲器内へのユニットの挿入を容易にするために、互いに対して移動することができるからである。少なくとも部分的に剛性の支持体及び剛性波長変換要素の使用を可能とすることによって、よりロバストな照明デバイスが提供される。更に、本態様は、挿入後のユニットの柔軟性が、完全に剛性の構成に比べて大きいため、外囲器内の波長変換要素の形状及び方向のデザインの自由を増加させる。例えば外囲器の比較的小さい開口部を介する外囲器内へのユニットの挿入が容易にされる。
【０００９】
光源によって放出され、波長変換要素に入射する光は、色に関して変換され、波長変換要素によって再放出されてよい。波長変換要素は、光源から離れて支持される、即ち、波長変換要素は、光源（及び、好適には、照明デバイスの口金に配置される任意のヒートシンク）より高くされる（又は離間される）ので、照明デバイスからの発光は、横方向及び後ろ方向において増加され、照明デバイスのより全方向性の配光が提供される。したがって、本態様による照明デバイスは、従来の白熱照明デバイスにより似ている。更に、光源は、配光への影響が少ない状態で、ヒートシンクの近くに配置されるので、照明デバイスの冷却を向上することが可能にされる。
【００１０】
一実施形態によれば、照明デバイスは更に、照明ソケットに結合される口金を含んでよく、外囲器は、口金に結合される開口部を有してよい。例えば口金は、照明デバイスを照明ソケットに機械的及び／又は電気的に結合させる。口金は、照明デバイスを照明ソケットに接続させるために、例えばネジ式コネクタ又はバイポスト式コネクタといった任意のタイプのコネクタを含んでよい。任意選択的に、口金は更に、光源及び／又は光源からの熱を散逸させるヒートシンクを駆動する駆動電子部品を含んでもよい。更に、光源及び／又は支持体は、任意選択的に、口金に結合されていてもよい。
【００１１】
一実施形態によれば、波長変換要素は、細長い形状を有してよく、波長変換要素の長手方向（即ち、細長い波長変換要素が長手方向に延在する方向）に沿って延在する平面内で、少なくとも１つの支持体に対して旋回可能であってよい。更に、長手方向に沿って測定される波長変換要素の長さは、外囲器の開口部の最大幅よりも大きく、長手方向を横断して（例えば長手方向に垂直に）測定される波長変換要素の最大幅は、外囲器の開口部の最大幅よりも小さくてよい。
【００１２】
本実施形態は、比較的長く、照明デバイスの光軸を横断して外囲器内に延在する細長い波長変換要素と、比較的小さい口金とを有することを可能にし、これにより、後ろ方向における配光を増加させる点で、有利である。支持体は、外囲器内の最終位置に取り付けられると、波長変換要素の長手方向を横断する方向に延在する。例えば支持体は、口金及び／又は外囲器に取り付けられる。波長変換要素及び支持体によって形成されるユニットを、開口部を介して、外囲器内に挿入可能とするために、支持体は、波長変換要素の長手方向に（実質的に）沿って延在するように旋回させられてよい。次に、ユニットは、外囲器の開口部を通り、その長手方向に沿って動かされる。波長変換要素の（横断面の）最大幅は、外囲器の開口部の最大幅（例えば直径）よりも小さいので、ユニットは、外囲器の開口部を通過することができる。したがって、波長変換要素の横断面の形状は、外囲器の開口部を通過するように適応されてよい。ユニットは、口金の開口部を介して外囲器内に挿入可能であるため、本実施形態は、単一片の材料で作られた外囲器を使用することを可能にする。したがって、外囲器には、目に見える接着又は溶接による接合部がない。
【００１３】
例えば波長変換要素は、波長変換要素の長手方向を交差する（例えば長手方向に実質的に垂直な）軸の周りで、少なくとも１つの支持体に対して旋回可能であってよい。
【００１４】
一実施形態によれば、少なくとも１つの支持体は、２つの支持体を含んでよく、各支持体が、波長変換要素に対して旋回可能である。これは、２つの支持体の位置を調節することによって、波長変換要素の方向を、当該波長変換要素を外囲器内に挿入した後に調節できる点で有利である。例えば２つの支持体が、各自の長手方向に沿って実質的に反対の方向に動かされると、波長変換要素は傾斜される。
【００１５】
或いは、照明デバイスは、単一の支持体を含んでも、任意の他の数の支持体を含んでもよい。
【００１６】
一実施形態によれば、２つの支持体のそれぞれは、平面内で、波長変換要素に対して旋回可能であり、平面は、互いに沿って延在してよい。例えば２つの支持体のそれぞれは、１つの軸の周りで波長変換要素に対して旋回可能であり、当該軸は、同じ方向に沿って延在してよい。したがって、２つの支持体の旋回可能平面は、実質的に平行であってよい。更に、２つの支持体の旋回軸は、実質的に平行であってよい。本実施形態では、波長変換要素及び支持体によって形成されるユニットは、実質的に同じ方向に沿って延在するように旋回され、これにより、外囲器内へのユニットの挿入が容易にされる。
【００１７】
当然ながら、１つ以上の支持体が、２つ以上の平面内で旋回してもよい。
【００１８】
一実施形態によれば、少なくとも１つの光源は、紫外（ＵＶ）光を放出してよい。これにより、波長変換要素を通過することなく、光源から直接放出される光は、可視ではなく、波長変換要素が、照明デバイスの唯一の光源のように見える。更に、支持体は、ＵＶ光下では、ほとんど見えず、これにより、波長変換要素は、外囲器内で浮かんでいるように見える。例えば光源は、ＵＶ（好適にはＵＶ−Ａ）ＬＥＤであってよい。更に、又は、代案として、光源は、（例えば約４００〜４２０ｎｍ及び好適には約４１０ｎｍの波長を有する光といった）濃い青色の光及び／又は白色光を放出してもよい。
【００１９】
一実施形態によれば、少なくとも１つの光源は、少なくとも、第１の波長範囲内の光を放出してよく、波長変換要素は、少なくとも１つの光源によって放出される光を、少なくとも、第１の波長範囲とは異なる第２の波長範囲に変換してよい。外囲器は、少なくとも１つの光源によって放出される第１の波長範囲内の光の少なくとも一部が、照明デバイスを出ることを阻害してよい。これにより、光源が、外囲器の外側からあまり見えないようにされ、波長変換要素が、照明デバイス内の唯一の発光コンポーネントのように見える。
【００２０】
例えば第１の波長範囲は、ＵＶ波長範囲（例えば約３００〜４００ｎｍ）であってよく、また、任意選択的に、濃い青色の可視光の波長範囲（例えば約４００〜４２０ｎｍ）であってよく、第２の波長範囲は、例えば約４５０〜７５０ｎｍ、好適には、約５５０〜７５０ｎｍといった可視スペクトル内の範囲であってよい。ＵＶ光の外囲器の通過が阻害されるので、照明デバイスを出て、周囲環境における白色物体を励起させるＵＶ光量は減少される。第２の波長範囲を吸収及び／又は反射する材料は、例えば外囲器の材料に組み込まれても、及び／又は、外囲器上のコーティングとして塗布されてもよい。
【００２１】
一実施形態によれば、照明デバイスは更に、（例えば可視スペクトル内といった）第２の波長範囲内の光を放出する少なくとも１つの追加の光源を含んでよい。したがって、追加の光源によって放出される光は、波長変換要素を通過してなくても直接的に見えることがある。追加の光源は、照明デバイスの所望の配光パターンを達成するように配置されてよい。追加の光源は、例えば白色、黄色、子白色又は赤色の光を放出する。
【００２２】
一実施形態によれば、波長変換要素は、少なくとも１つの光源によって放出される光を、白色、黄色、琥珀色及び赤色である複数の色のうち、少なくとも１つの色に変換してよい。これにより、白熱光源の光に似ている。
【００２３】
一実施形態によれば、波長変換要素は、光透過性本体と、光透過性本体に配置される波長変換材料とを含んでよい。例えば波長変換材料は、光透過性本体に、パターンで配置される。波長変換材料が提供されていない波長変換要素の部分は、あまり見えない一方で、波長変換材料が提供される部分は、発光し、より見える。例えば波長変換材料は、白熱照明デバイスにより似るように、フィラメントのように配置されてよい。例えば波長変換材料は、蛍光体を含んでよい。
【００２４】
一実施形態によれば、外囲器は、例えばガラス又はプラスチックといった材料の単一片で作られてよい。波長変換要素及び支持体によって形成されるユニットは、外囲器内への挿入時、旋回（又は折畳み）可能であるため、ユニットを取り囲むように組み立てられる２部品構成の外囲器を有する必要が減少される。代わりに、ユニットは、口金に結合される外囲器の開口部を介して、挿入される。したがって、外囲器の溶接又は接着による接合点は減少されるか、更には排除される。
【００２５】
一実施形態によれば、外囲器は、透明であってよい。これにより、波長変換要素が、外囲器を通して、よりはっきりと見ることができる。
【００２６】
一実施形態によれば、波長変換要素及び少なくとも１つの支持体のそれぞれは、少なくとも部分的に剛性であってよい。これにより、照明デバイスはよりロバストになり、ガラス、剛性プラスチック及び／又は金属といったより安価な材料の使用を可能にする。波長変換要素及び支持体のそれぞれの大部分が剛性であっても、外囲器内へのユニットの挿入を可能とするように、支持体及び波長変換要素は、互いに対して旋回（又は折畳み）可能である。
【００２７】
例えば支持体が（少なくともほぼ）完全に剛性であり、支持体と波長変換要素との旋回運動は、支持体と波長変換要素との間のヒンジ接続によって実現される。或いは、波長変換要素に結合される支持体の一部が可撓であり、支持体の別の（好適には大）部分が剛性であり、これにより、可撓性部分を曲げることによって、支持体の剛性部分が波長変換要素に対して旋回可能にされてもよい。
【００２８】
一実施形態によれば、少なくとも１つの支持体は、少なくとも１つの棒を含んでもよい。当該棒は、好適には、それがあまり見えないように、比較的細い。棒は、金属及び／又は剛性プラスチックで作られてよい。例えば支持体は、所望の形状に容易く曲げられる金属ワイヤを含む。
【００２９】
別の態様によれば、上記実施形態の何れかにおいて規定される照明デバイスが、少なくとも１つの支持体に対して旋回可能である波長変換要素を含むユニットを提供するステップと、ユニットの外囲器内への挿入を可能にする状態へと、波長変換要素を少なくとも１つの支持体に対して旋回させるステップと、ユニットを外囲器内に挿入するステップと、外囲器内の最終状態へと、波長変換要素を少なくとも１つの支持体に対して旋回させるステップとを含む方法によって製造される。
【００３０】
なお、本発明の実施形態は、請求項に記載される特徴のすべての可能な組み合わせに関する。更に、当然ながら、照明デバイスについて説明される様々な実施形態は、すべて、方法の実施形態と組み合わせることが可能である。
【図面の簡単な説明】
【００３１】
これらの及び他の態様について、実施形態を示す添付図面を参照して、より詳細に説明する。
【００３２】
【図１】図１は、一実施形態による照明デバイスの部分切り取り図である。
【図２】図２は、照明デバイスの波長変換要素の長手方向に垂直に取られた横断面図である。
【図３】図３は、照明デバイスの波長変換要素の長手方向に沿って取られた横断面図である。
【図４】図４は、組み立てられている状態の図１に示される照明デバイスを示す。
【図５】図５は、図１に示される照明デバイスを製造する方法を示す。
【図６】図６は、別の実施形態による照明デバイスを示す。
【００３３】
すべての図面は、概略的であり、必ずしも縮尺通りではなく、概して、実施形態を説明するのに必要な部分のみを示す。他の部分は、省略されるか、示唆されているに過ぎない。同様の参照符号は、説明の全体を通して同様の要素を指す。
【発明を実施するための形態】
【００３４】
現在、好適である実施形態が示される添付図面を参照して、本態様について、以下により詳細に説明する。しかし、本発明は、多くの異なる形態で具体化されてもよく、本明細書に記載される実施形態に限定されると解釈されるべきではない。むしろ、これらの実施形態は、完全さ及び完璧さのために提供されたものであり、当業者に、本態様の範囲を十分に伝えるものである。
【００３５】
図１を参照して、一実施形態による照明デバイス１を説明する。図１は、照明デバイス１の部分切り取り斜視図を示し、図２及び図３は、照明デバイス１の２つの異なる横断面図を示す。
【００３６】
照明デバイス１は、口金５と、口金５に直接又は間接的に結合される外囲器２（カバーとも呼ばれる）とを含む。例えば外囲器２の開口部１５は、口金５に結合される。口金５は、例えば照明設備に含まれる照明ソケットに、照明デバイス１を機械的及び電気的に接続する。本例では、口金５は、照明デバイス１をネジ式ソケットに結合するネジ式接続部１３を含む。例えばバイピン接続部といった他の接続部も考えられる。照明デバイス１は更に、例えば口金５に直接又は間接的に結合される、例えば固体ベースの光源といった１つ以上の光源３、４を含む。照明デバイス１は更に、光源３、４を駆動するための駆動電子部品１２を含む。例えば駆動電子部品１２は、口金５内に含まれる（又は口金５に結合される）。光源３、４と、好適には、駆動電子部品１２も冷却するために、ヒートシンク９が設けられていてもよい。ヒートシンク９は、口金５内に含まれる（又は口金５に結合される）。本例では、ヒートシンク９は、ネジ式接続部１３に結合され、外囲器２によって少なくとも部分的に覆われる。外囲器２は、好適には、例えばガラス又はプラスチックといった材料の単一片で作られる。例えば外囲器２は、外囲器２内のコンポーネントがはっきりと見えるように、透明（即ち、クリア）である。
【００３７】
照明デバイス１は更に、光源３、４から離れて配置される、例えば光源３、４の上方に配置される波長変換要素８を含む。波長変換要素８は、外囲器２内で１つ以上の支持体７によって支持される。波長変換要素８は、例えば透明（即ち、クリア）の光透過性本体を含み、そこに、波長変換材料６が配置される。本例では、波長変換材料６は、例えばらせん又は二重らせんといったパターンで光透過性本体に配置される。パターン付けされた波長変換材料６は、従来の白熱照明デバイスのフィラメントに似ている。波長変換材料６は、例えば黄色及び／又は赤色蛍光体を含む。例えば蛍光体６のスリーブが、例えば接着剤によって、光透過性本体に取り付けられる。或いは、蛍光体は、光透過性本体の材料内に分散されてもよい。光透過性本体は、中空であっても、中身が詰まっていてもよい。例えば光透過性本体は、ガラス又は剛性プラスチックで作られる。
【００３８】
本例では、光源のうちの１つの光源３は、波長変換要素８に向けて、紫外（ＵＶ）光を放出するように配置される。波長変換要素８は、例えば白色、黄色又は赤色といった可視波長範囲内の光を再放出する。例えば光源３は、３６０乃至３８０ｎｍのピーク波長を有するＵＶ−Ａ光を放出する。更に、光源３によって放出された光を、波長変換要素８に向けて集束する光学部品（図示せず）が配置されてもよい。外囲器２は、好適には、ＵＶ光が照明デバイス１を出ないように、ＵＶ光を吸収及び／又は反射する。例えば外囲器２は、ＵＶ吸収コーティングで被覆されてよい。ＵＶ光は人間に目には可視ではないため、光は、単に、波長変換要素８からくるものとして見える。照明デバイス１の効率を向上させるために、ＵＶ反射コーティング（例えばダイクロイックコーティング）が外囲器２に塗布されてよい。これにより、ＵＶ光を、波長変換要素８に向けて、外囲器２内へと反射する。任意選択的に、照明デバイス１は、（例えば白色、黄色、琥珀色又は赤色の光といった）可視波長範囲の光を放出する１つ以上の追加の光源４を含んでもよい。これにより、照明デバイス１に追加の光強度が提供される。更に、光源３、４によって放出された光を波長変換要素８に向けて反射するリフレクタが配置されてもよい。
【００３９】
波長変換要素８は、細長い形状であってよい。本例では、波長変換要素８は、ロッドとして形成される。波長変換要素８は、照明デバイス１の光軸１０を横断して外囲器２内で延在するように配置されてよい。図３に示されるように、波長変換要素８の長手方向に沿って測定される波長変換要素８の長さＬは、外囲器２の開口部１５の最大幅（例えば直径）Ｄよりも大きい。更に、波長変換要素８の長手方向を横断して（例えば長手方向に垂直に）測定される波長変換要素８の最大幅Ｗは、外囲器２の開口部１５の最大幅Ｄよりも小さい。
【００４０】
各支持体７は、軸１１の周りを旋回するように、波長変換要素８に旋回可能に結合される。例えば波長変換要素８と支持体７との間に、ヒンジ接続部が設けられる。本例では、各支持体７は、金属ワイヤによって形成され、図２に示されるように、その一部１６が、波長変換要素８のアパーチャを通り延在する。金属ワイヤの端が、支持体を波長変換要素８に対して適切な位置に保つために曲げられる。更に、支持体７は、口金５に取り付けられるか、又は、或いは、外囲器２に取り付けられる（図示せず）。支持体７の旋回軸１１は、好適には、支持体７が、波長変換要素８の長手方向と実質的に平行な平面内で旋回可能であるように、波長変換要素８の長手方向を横断して（例えば長手方向に垂直に）延在する。更に、旋回軸１１は、例えば互いに実質的に平行といったように、実質的に同じ方向に延在する。各支持体７は、外囲器２内の最終位置に取り付けられる際に、好適には、波長変換要素８と口金５との間で、好適には、旋回軸１１を横断する（例えば旋回軸１１に実質的に垂直な）方向に主に延在する。
【００４１】
図１乃至図３を参照して説明された一実施形態による照明デバイス１を製造する方法について、図４及び図５を参照して説明する。図４は、照明デバイス１の製造中に組み立てられている照明デバイス１を示す。図５は、照明デバイス１を製造する方法を概略的に示す。
【００４２】
例えば各金属ワイヤ７を挿入し、支持体７をヒンジの軸方向に固定するように、金属ワイヤ７の端を曲げることによって、当該支持体７を波長変換要素８に旋回可能に取り付けることによって、最初に、ユニット１７が提供される（ステップ５１）。次に、波長変換要素８は、ユニット１７の外囲器２内への挿入を可能にする状態に、支持体７に対して旋回される（ステップ５２）。例えば支持体７は、図４に示されるように、波長変換要素８の長手方向に実質的に沿って延在するように旋回される（又は折り畳まれる）。次に、ユニット１７は、好適には、開口部１５を介して、外囲器２内に挿入される（ステップ５３）。例えばユニット１７は、図４に示されるように、その長手方向に沿って、開口部１５を介して挿入される。波長変換要素８及び少なくとも１つの支持体７によって形成されるユニット１７は、好適には、当該ユニット１７が、開口部１５を通過することができるように、（図４に示されるように）支持体１７が波長変換要素８に対して折り畳まれるときのユニット１７の幅が、開口部１５の幅（即ち、直径）よりも小さいように適応される。
【００４３】
ユニット１７が、外囲器２内に少なくとも部分的に配置されると、波長変換要素８は、外囲器２内の所望の最終状態となるように（即ち、例えば図１に示されるような状態となるように）、支持体７に対して旋回される（ステップ５４）。波長変換要素８の向きは、支持体７を、それぞれの長手方向において動かすことによって、望み通りに傾斜できる。好適には、波長変換要素８は、照明デバイス１の光軸を横断する方向に延在するように傾斜される。
【００４４】
次に、外囲器２の開口部１５に、口金５が取り付けられる（ステップ５５）。例えば口金５に、１つ以上の穴１８が設けられ、その穴の中に、１つ以上の支持体７を口金５に取り付けるように、当該１つ以上の支持体７を挿入してよい。穴１８は、例えばヒートシンク９に配置されてもよい。
【００４５】
図６を参照して、別の実施形態による照明デバイスについて説明する。図６は、支持体６７が、剛性部６６と可撓部６９とを含む点以外は、図１乃至図３を参照して説明した例による照明デバイスと同様に構成される照明デバイス６１を示す。可撓部６９は、剛性部６６を、波長変換要素６８に接続する。支持体６７は、可撓部６９が曲げられるので、波長変換要素６８に対して旋回可能である。可撓部６９は、例えば曲げることが可能な細い金属ワイヤを含む。剛性部６６は、例えばプラスチック又はガラスで作られた剛性管、棒等を含む。照明デバイス６１は、図４乃至図５を参照して説明した製造方法に従って製造される。
【００４６】
当業者であれば、本発明は、上記された好適な実施形態に限定されないことは認識するであろう。それどころか、添付の請求項の範囲内で多くの修正態様及び変形態様が可能である。例えば球状、立方体又は任意の他の好都合な形状といった波長変換要素の細長い形状以外の他の形状も考えられる。
【００４７】
更に、開示された実施形態の変形態様は、図面、開示内容及び添付の請求項の検討から、請求項に係る発明を実施する当業者によって理解され、実施される。請求項において、「含む」との用語は、他の要素又はステップを排除するものではなく、また、「ａ」又は「ａｎ」との不定冠詞も、複数形を排除するものではない。特定の手段が相互に異なる従属請求項に記載されることだけで、これらの手段の組み合わせを有利に使用することができないことを示すものではない。請求項における任意の参照符号は、範囲を限定するものと解釈されるべきではない。
【図１】
0006334056.tif 000002
【図２】
0006334056.tif 000003
【図３】
0006334056.tif 000004
【図４】
0006334056.tif 000005
【図５】
0006334056.tif 000006
【図６】
0006334056.tif 000007